(57)【要約】【課題】原稿の種類等に関係なく、原稿サイズ検知時にユーザ等が感じ得る眩しさ等の不快感を軽減させた画像読取装置及びこれを備える画像形成装置を提供すること。【解決手段】原稿Ｄを載置する原稿台ガラス８２と、原稿台ガラス８２を開閉可能な原稿台カバー９１と、原稿台カバー９１の原稿台ガラス８２に対する開放角度を検知可能な開閉センサ９１ａと、原稿台ガラス８２の下方から原稿台ガラス８２に載置された原稿Ｄに向けて光を照射するＬＥＤ８４と、ＬＥＤ８４の発光量を調整可能なＬＥＤ駆動回路６６と、原稿Ｄからの反射光を読み取り可能なＣＣＤ８７と、原稿台カバー９１が所定の角度まで閉じられたことをＣＣＤ８７が検知すると、ＬＥＤ駆動回路６６を制御して、ＬＥＤ８４から原稿Ｄに向けて照射される光の発光量を、原稿の端部位置が検出されるまで増加させる、ＣＰＵ１５と、を備えた。【選択図】図３
2013115783.tif 000002
【特許請求の範囲】
【請求項１】
原稿を載置する原稿台ガラスと、
該原稿台ガラスを開閉可能な原稿台カバーと、
該原稿台カバーの前記原稿台ガラスに対する開放角度を検知可能な開放角度検知手段と、
前記原稿台ガラスの下方から該原稿台ガラスに載置された原稿に向けて光を照射する光源と、
該光源の発光量を調整可能な発光量調整手段と、
原稿からの反射光を読み取り可能な反射光読取手段と、
前記原稿台カバーが所定の角度まで閉じられたことを前記開放角度検知手段が検知すると、前記発光量調整手段を制御して、前記光源から原稿に向けて照射される光の発光量を、原稿の位置が検出されるまで増加させる制御部と、を備えた、
ことを特徴とする画像読取装置。
【請求項２】
前記制御部は、前記原稿台カバーが所定の角度まで閉じられてから前記原稿の位置が検出されるまで、前記開放角度検知手段により検知される前記原稿台カバーの開放角度が閉じられるほど前記光源の発光量が増加するように前記発光量調整手段を制御する、
ことを特徴とする請求項１に記載の画像読取装置。
【請求項３】
前記制御部は、前記光源の発光量を増加させた後、前記原稿台カバーが閉じられる前に、前記開放角度検知手段により検知される前記原稿台カバーの開放角度が一定となった場合、前記発光量調整手段を制御して前記光源の発光量の増加を停止させる、
ことを特徴とする請求項１又は２に記載の画像読取装置。
【請求項４】
前記制御部は、前記光源の発光量を増加させた後、前記原稿台カバーが閉じられる前に、前記開放角度検知手段により検知される前記原稿台カバーの開放角度が大きくなった場合、前記発光量調整手段を制御して前記光源の発光量を減少させる、
ことを特徴とする請求項１から３のいずれか１項に記載の画像読取装置。
【請求項５】
請求項１から４のいずれか１項に記載の画像読取装置と、
前記画像読取装置により読み取られた画像をシートに形成する画像形成部と、を備えた、
ことを特徴とする画像形成装置。
【発明の詳細な説明】
【技術分野】
【０００１】
本発明は、原稿の画像を読み取り可能な画像読取装置及び画像形成装置に関し、特には、原稿のサイズを検知可能な原稿サイズ検知機能を有する画像読取装置及びこれを備える画像形成装置に関する。
【背景技術】
【０００２】
従来より、画像読取装置には、原稿台ガラスに載置された原稿に光を照射して原稿からの反射光の輝度分布を読み取り、読み取った輝度分布情報から原稿の原稿領域と非原稿領域とを検出して原稿サイズを検知する原稿サイズ検知機能を有するものが知られている。
【０００３】
原稿サイズ検知機能には、例えば、原稿台ガラスを覆う原稿台カバーが所定角度まで閉じられると原稿に光を照射して輝度分布を読み取り、原稿領域と非原稿領域とを判断して原稿サイズを検知するものがある。また、原稿台カバーが開いている状態と閉じている状態とでの原稿の反射光の差から原稿領域と非原稿領域とを判断して原稿サイズを検知するものもある。しかしながら、いずれの場合においても、原稿台カバーが開いている状態で光を照射すると、照射光がユーザ等の目に入り、眩しさからユーザ等が不快に感じるという問題があった。
【０００４】
これに対しては、原稿サイズを検知するときの光源の発光量を徐々に大きくすることでユーザ等が眩しさ等から感じ得る不快感を軽減させた画像読取装置が提案されている（特許文献１参照）。
【先行技術文献】
【特許文献】
【０００５】
【特許文献１】特開平１１−２４１８９号公報
【発明の概要】
【発明が解決しようとする課題】
【０００６】
しかしながら、特許文献１に記載の画像読取装置は、光源の発光量を一定の発光量まで徐々に大きくさせている。一方、原稿サイズの検知に必要な光の発光量は、通常、原稿の種類等によって異なる。例えば、第２原図等の薄紙は、反射率が低いため、一定の反射光を得るためには、発光量を大きくしなければならないが、普通紙においては、第２原図よりも少ない発光量で同等の反射光を得ることができる。そのため、特許文献１に記載の画像読取装置のように最終的な光の発光量が一定のものにおいては、例えば、最終的な発光量よりも低い光で検知可能な原稿の場合においては過多な発光になり、ユーザ等が眩しさ等の不快を感じることになる。また、最終的な発光量よりも高い光を必要とする原稿の場合においては、発光量が低すぎて原稿サイズを検知できなくなるおそれがある、という問題があった。
【０００７】
そこで、本発明は、原稿の種類等に関係なく、原稿サイズ検知時にユーザ等が感じ得る眩しさ等の不快感を軽減させた画像読取装置及びこれを備える画像形成装置を提供することを目的とする。
【課題を解決するための手段】
【０００８】
本発明は、原稿を載置する原稿台ガラスと、該原稿台ガラスを開閉可能な原稿台カバーと、該原稿台カバーの前記原稿台ガラスに対する開放角度を検知可能な開放角度検知手段と、前記原稿台ガラスの下方から該原稿台ガラスに載置された原稿に向けて光を照射する光源と、該光源の発光量を調整可能な発光量調整手段と、原稿からの反射光を読み取り可能な反射光読取手段と、前記原稿台カバーが所定の角度まで閉じられたことを前記開放角度検知手段が検知すると、前記発光量調整手段を制御して、前記光源から原稿に向けて照射される光の発光量を、原稿の位置が検出されるまで増加させる制御部と、を備えた、ことを特徴とする。
【発明の効果】
【０００９】
本発明によれば、原稿の端部が検知されるまで光源の発光量を増加させることにより、原稿の種類等に関係なく、原稿サイズ検知時にユーザ等が感じ得る眩しさ等の不快感を軽減させることができる。
【図面の簡単な説明】
【００１０】
【図１】本発明の実施形態に係る複写機の全体構造を模式的に示す断面図である。
【図２】本実施形態に係る画像読取部の全体構造を模式的に示す斜視図である。
【図３】図２に示す画像読取部の断面図である。
【図４】本実施形態に係るリーダ部の内部構造を模式的に示す斜視図である。
【図５】本実施形態に係る開閉センサを示す断面図である。
【図６】本実施形態に係るイメージセンサユニットから出力された画像信号を処理する画像信号処理部を示すブロック図である。
【図７】本実施形態に係る画像信号処理部のＣＰＵによる原稿サイズの検知動作を示すフローチャートである。
【図８】本実施形態に係る画像信号処理部のＣＰＵによるＬＥＤ光量算出処理を示すフローチャートである。
【発明を実施するための形態】
【００１１】
以下、本発明の実施形態に係る画像読取装置について、図面を参照しながら説明する。本発明の実施形態に係る画像形成装置は、画像を読み取る原稿の原稿サイズを検知可能な原稿サイズ検知機能を有する画像読取装置を備えた画像形成装置である。以下の実施形態においては、画像形成装置として、白黒／カラー複写機（以下、「複写機１」という）を用いて説明する。
【００１２】
まず、本実施形態に係る複写機１の概略構成について、図１を参照しながら説明する。図１は、本発明の第１実施形態に係る複写機１の全体構造を模式的に示す断面図である。なお、以下においては、ユーザが複写機１に対して各種入力／設定を行う操作部（後述の図６参照）１６に臨む位置を複写機１の「手前側」といい、背面側を「奥側」という。つまり、図１は、手前側から見た複写機１の全体構造を示したものである。
【００１３】
図１に示すように、複写機１は、シートＳを給送するシート給送部２と、画像を形成する画像形成部３と、画像形成部３で形成された画像をシートＳに転写する転写部４と、転写部４で転写された画像をシートＳに定着させる定着部５と、画像が定着されたシートＳを排出する排出部６と、原稿Ｄの画像情報を読み取る画像読取装置としての画像読取部７と、を備えている。
【００１４】
シート給送部２は、複写機１の下部に配設されており、シートＳを収納する収納カセット２１と、収納カセット２１に収納されるシートＳを給送する給送ローラ２２と、給送ローラ２２により給送されるシートＳを１枚ずつに分離する分離部２３と、を備えている。
【００１５】
画像形成部３は、シート給送部２の上部に配設されており、イエロー（Ｙ）、マゼンタ（Ｍ）、シアン（Ｃ）及びブラック（Ｋ）の４色のトナー画像を形成する感光体ドラム３１Ｙ〜３１Ｋと、感光体ドラム３１Ｙ〜３１Ｋの表面を印加して一様に帯電させる一次帯電器３２Ｙ〜３２Ｋと、画像情報に基づいてレーザ光を照射して感光体ドラム３１Ｙ〜３１Ｋに静電潜像を形成する露光装置３３Ｙ〜３３Ｋと、感光体ドラム３１Ｙ〜３１Ｋに形成された静電潜像をトナー像として可視化する現像装置３４Ｙ〜３４Ｋと、を備えている。
【００１６】
転写部４は、感光体ドラム３１Ｙ〜３１Ｋの下部に配設されており、回転駆動する搬送ベルト４１と、感光体ドラム３１Ｙ〜３１Ｋの各色トナー像を搬送ベルト４１に転写する転写器４２Ｙ〜４２Ｋと、を備えている。定着部５は、転写部４の下流側に配設されており、ヒータを内蔵した定着ローラ５１と、定着ローラ５１に圧接する加圧ローラ５２と、を備えている。排出部６は、定着部５の下流側に配設されており、シートＳを機外に排出する排出ローラ対６１と、機外に排出されたシートＳを積載する排出トレイ６２と、を備えている。
【００１７】
画像読取部７は、複写機１の上部に配設されており、原稿Ｄの画像を読み取るリーダ部８と、リーダ部８に原稿Ｄを給送可能な原稿給送部９と、を備えている。なお、画像読取部７については、後に詳しく説明する。
【００１８】
次に、上述のように構成された複写機１の画像形成ジョブについて説明する。複写機１の画像形成ジョブが開始されると、不図示のパソコン又は画像読取部７から入力された画像情報に基づいて、露光装置３３Ｙ〜３３Ｋが感光体ドラム３１Ｙ〜３１Ｋの表面にレーザ光を照射する。これにより、一次帯電器３２Ｙ〜３２Ｋによって所定の極性電位に一様に帯電されている感光体ドラム３１Ｙ〜３１Ｋの表面が順次露光され、感光体ドラム３１Ｙ〜３１Ｋの表面に静電潜像が形成される。感光体ドラム３１Ｙ〜３１Ｋの表面に静電潜像が形成されると、現像装置３４Ｙ〜３４Ｋが静電潜像を現像し、トナー像として可視化される。
【００１９】
トナー像の形成動作に並行して、収納カセット２１に収容されたシートＳは、給送ローラ２２により送り出され、分離部２３で１枚ずつに分離される。そして、分離されたシートＳは、不図示のレジストローラに達し、レジストローラにより所定のタイミングで転写器４２Ｙ〜４２Ｋに搬送される。転写器４２Ｙ〜４２ＫにシートＳが搬送されると、転写器４２Ｙ〜４２Ｋに印加された転写バイアスによって、可視化された上述の各色のトナー像が、順次、シートＳに重畳転写される。これにより、シートＳ上にフルカラー（４色）のトナー像が形成される。
【００２０】
フルカラーのトナー像が転写されたシートＳは、転写部４から定着部５に搬送され、定着部５において熱及び圧力を受けてトナーが溶融混色されることにより画像として定着される。その後、画像が定着されたシートＳは、定着部５の下流に設けられた排出ローラ対６１によって排出トレイ６２に排出され、画像形成ジョブが終了する。
【００２１】
なお、シートＳの両面に画像を形成する場合は、定着部５でシートＳに未定着トナー像を定着した後、排出ローラ対６１によって排出トレイ６２に排出される前に一旦停止し、排出ローラ対６１を逆回転させて、シートＳを両面搬送路６３に搬送する。そして、両面搬送路６３に搬送されることでシートＳが反転し、反転したシートＳは両面搬送路６３に設けられた搬送ローラにより画像形成部３に再搬送され、上述が繰り返される。
【００２２】
次に、本実施形態に係る画像読取部７について、図２から図５を参照しながら詳細に説明する。図２は、本実施形態に係る画像読取部７の全体構造を模式的に示す斜視図である。図３は、図２に示す画像読取部７の断面図である。図４は、本実施形態に係るリーダ部８の内部構造を模式的に示す斜視図である。図５は、本実施形態に係る開閉センサ９１ａを示す断面図である。
【００２３】
図２に示すように、画像読取部７は、原稿Ｄの画像を読み取るリーダ部８と、リーダ部８に原稿Ｄを給送可能な原稿給送部９と、を備えており、手前側からリーダ部８が開放自在となるように、奥側に配設されたヒンジ部７０，７０により、原稿給送部９がリーダ部８に開閉可能に支持されている。
【００２４】
図３及び図４に示すように、リーダ部８は、後述の原稿給送装置９０の下方側に位置するように配設されるプラテンガラス８０と、支持ステー８１を挟んでプラテンガラス８０と副走査方向に並んで配置される矩形状の原稿台ガラス８２と、プラテンガラス８０及び原稿台ガラス８２を支持する筐体８ａと、イメージセンサユニット８３と、を備えている。
【００２５】
原稿台ガラス８２は、原稿Ｄを載置するためのものであり、原稿台ガラス８２には、原稿Ｄを載置する際に、主走査方向の目安となる縦指標８２ａと、副走査方向の目安となる横指標８２ｂとが貼り付けられている。また、原稿台ガラス８２の下には、原稿Ｄの副走査方向の幅を検知するための副走査サイズセンサ８２ｃ，８２ｄが取り付けられている。副走査サイズセンサ８２ｃ，８２ｄは、反射型センサとなっており、副走査サイズセンサ８２ｃ，８２ｄ上の原稿台ガラス８２上の原稿の有無を検出可能に構成されている。筐体８ａは、プラテンガラス８０及び原稿台ガラス８２を支持すると共に、イメージセンサユニット８３等を内部に収容している。
【００２６】
イメージセンサユニット８３は、原稿Ｄに光を照射する光源としてのＬＥＤ８４と、ＬＥＤ８４に照射された光に対応する原稿Ｄからの反射光を誘導する複数のミラー８５ａ，８５ｂ，８５ｃと、複数のミラー８５ａ〜８５ｃによって誘導された反射光を集光する集光レンズ８６と、集光レンズ８６で集光された反射光を光電変換して画像信号として出力する反射光読取手段としてのＣＣＤ８７と、を備えている。ＬＥＤ８４及びミラー８５ａは、光学キャリッジ（走行体）８８に収容されており、光学キャリッジ８８は、駆動ベルト８９に接続されている。駆動ベルト８９は、駆動モータ８９ａに連結されており、駆動モータ８９ａにより駆動するように構成されている。駆動モータ８９ａは、例えば、ステッピングモータにより構成されており、光学キャリッジ８８の位置は、不図示のポジションセンサと駆動モータ８９ａの回転パルス数とにより把握可能に構成させている。
【００２７】
イメージセンサユニット８３は、ＬＥＤ８４で原稿Ｄに向けて光を照射し、原稿Ｄから反射された反射光をＣＣＤ８７で受光することにより画像が投影され、投影された画像から１ラインずつの画像信号が生成される。またこのとき、イメージセンサユニット８３は、駆動モータ８９ａにより駆動ベルト８９が駆動し、光学キャリッジ８８が図４に示す矢印方向（副走査方向）に移動することで、原稿台ガラス上に載置された原稿Ｄを光学的に走査可能となる（載置原稿読取モード）。また、イメージセンサユニット８３は、光学キャリッジ８８をプラテンガラス８０の下方に位置する所定の原稿読取位置１００に停止させ、原稿給送装置９０により原稿Ｄを給送させることで原稿Ｄの画像情報を読み取り可能となる（原稿流し読みモード）。
【００２８】
原稿給送部９は、原稿Ｄを自動給送する原稿給送装置９０と、原稿台ガラス８２上に載置された原稿Ｄを押圧する原稿台カバー９１と、を備えている。図３に示すように、原稿給送装置９０は、原稿Ｄを積載する原稿トレイ９２と、原稿トレイ９２に積載された原稿Ｄを給送する給送ローラ９３と、給送ローラ９３に給送される原稿Ｄを１枚ずつ分離する分離搬送ローラ９４及び分離パッド９５と、原稿Ｄの先端を揃えて搬送するレジストローラ対９６と、レジストローラ対９６の下流側に設けられ、原稿読取位置１００に原稿Ｄを案内する原稿案内部９７と、読取りが終了した原稿Ｄを機外に排出する排出ローラ対９８と、を備えている。
【００２９】
原稿トレイ９２は、原稿Ｄの幅方向にスライド自在に設けられた一対の幅方向規制板９２ａを備えており、一対の幅方向規制板９２ａが原稿トレイ９２に積載される原稿Ｄの幅方向を規制することで原稿Ｄの給送時における搬送安定性を確保している。給送ローラ９３は、原稿トレイ９２の上方に設けられており、ユーザによる原稿Ｄのセット作業を阻害しないように、図３に示す実線位置をホームポジションとしている。給送ローラ９３は、原稿Ｄの給送動作が開始されると、ホームポジションから給送位置（図３に示す破線位置）に移動し、原稿Ｄの上面に当接して原稿Ｄを給送する。レジストローラ対９６は、分離搬送ローラ９４の下流に設けられており、分離搬送ローラ９４にて１枚ずつ分離して搬送される原稿Ｄの先端をニップ部に突き当て、原稿Ｄにループを生じさせることにより原稿Ｄの先端を揃える。その後、レジストローラ対９６は、回転して原稿Ｄを原稿案内部９７に向かって搬送する。
【００３０】
原稿案内部９７は、プラテンガラス８０上の所定の原稿読取位置１００に位置するように設けられており、レジストローラ対９６により先端が揃えられた原稿Ｄが原稿読取位置１００上を移動するように案内する。原稿案内部９７は、リードローラ対９７ａと、第１プラテンローラ９７ｂと、白色板を有する不図示の読取ガイドと、第２プラテンローラ９７ｃと、リード排出ローラ対９７ｄと、を備えている。
【００３１】
リードローラ対９７ａは、レジストローラ対９６により搬送される原稿Ｄを原稿読取位置１００に向けて搬送する。第１プラテンローラ９７ｂは、リードローラ対９７ａの下流に設けられており、リードローラ対９７ａにより搬送される原稿Ｄを原稿読取位置１００に搬送する。読取ガイドは、第１プラテンローラ９７ｂの下流に設けられており、第１プラテンローラ９７ｂによって原稿読取位置１００に搬送された原稿Ｄを、プラテンガラス８０に密着させた状態で案内する。第２プラテンローラ９７ｃは、読取ガイドの下流に設けられており、読取ガイドにより案内され、画像情報の読み取りが終了した原稿Ｄを搬送する。リード排出ローラ対９７ｄは、第２プラテンローラ９７ｃの下流側に設けられており、第２プラテンローラ９７ｃにより搬送された原稿Ｄを排出ローラ対９８に搬送する。
【００３２】
排出ローラ対９８は、原稿案内部９７の下流に設けられており、原稿Ｄを機外に排出する。また、排出ローラ対９８は、原稿Ｄの両面を読み取る場合に、原稿Ｄをスイッチバックしてシートパス９９を介して再度、レジストローラ対９６に搬送する。
【００３３】
原稿台カバー９１は、プラテンガラス８０及び原稿台ガラス８２を開閉可能に筐体８ａに支持されており、閉動作により原稿台ガラス８２上に載置された原稿Ｄが移動しないように原稿Ｄを押圧可能に形成されている。また、原稿台カバー９１には、筐体８ａに対する原稿台カバー９１の開放角度を検知可能な開放角度検知手段としての開閉センサ９１ａが取り付けられている。開閉センサ９１ａは、図５に示すように、２つのセンサ９１ｂ、９１ｃと１つのフラグ９１ｄにより、原稿台カバー９１の４パターンの開放角度（０〜５度、５〜１５度、１５〜２５度、２５度以上）が検知可能となっている。例えば、センサ９１ｂがオフでセンサ９１ｃがオンになると、開放角度が０〜５度であることを検知し、センサ９１ｂがオンでセンサ９１ｃがオンになると、開放角度が５〜１５度であることを検知する。また、センサ９１ｂがオンでセンサ９１ｃがオフになると、開放角度が１５〜２５度であることを検知し、センサ９１ｂがオフでセンサ９１ｃがオフになると、開放角度が２５以上であることを検知する。
【００３４】
次に、イメージセンサユニット８３から出力された画像信号を処理する画像信号処理部１０について、図６を参照しながら説明する。図６は、本実施形態に係るイメージセンサユニット８３から出力された画像信号を処理する画像信号処理部１０を示すブロック図である。
【００３５】
図６に示すように、画像信号処理部１０は、Ａ／Ｄ回路１１と、シェーディング補正回路１２と、Ｉ／Ｆ回路１３と、加算平均回路１４と、制御部としてのＣＰＵ１５と、操作部１６と、発光量調整手段としてのＬＥＤ駆動回路１７と、を備えて構成されている。イメージセンサユニット８３のＣＣＤ８７から出力される１ラインの画像信号（アナログ信号）は、Ａ／Ｄ回路１１にて増幅され、アナログ信号からデジタル信号に変換される。これにより得られたデジタルデータの１ラインの信号は、シェーディング補正回路１２においてシェーディング補正（原稿を読み取るＣＣＤ８７のバラつき及びＬＥＤ８４の配光特性の補正等）が行われる。シェーディング補正が行われたデジタルデータは、例えば、Ｉ／Ｆ回路１３を介して、複写機１に接続されたプリンタ等によって印刷されたり、ホストコンピュータ等によって画像が再生されたりする。
【００３６】
加算平均回路１４は、シェーディング補正回路１２でシェーディング補正された１ライン信号を順次入力し、ＣＰＵ１５にて設定された加算画素幅、加算ライン数の画像データの平均化を行う。ＣＰＵ１５は、加算平均回路１４において平均化された平均画像データ（輝度分布情報）を入力し、そのデータをもとにＬＥＤ駆動回路１７を制御する。例えば、ＣＰＵ１５は、原稿台カバー９１が所定の角度まで閉じられたことを開閉センサ９１ａが検知するとＬＥＤ８４を発光させると共に、ＬＥＤ駆動回路１７を制御して、原稿台カバー９１の開放角度に応じたＬＥＤ８４の発光量を演算して増加させていき、入力された平均画像データ（輝度分布情報）から原稿端部（原稿サイズ）が検出されると、ＬＥＤ８４の発光を停止させる制御を行う。
【００３７】
また、ＣＰＵ１５は、シェーディングデータ等の演算や画像読取部７を制御するためのＣＰＵとしても機能する。操作部１６は、複写機１の状態表示やユーザによる読み取り命令を受け付ける。ＬＥＤ駆動回路１７は、イメージセンサユニット８３のＬＥＤ８４の発光量を調整可能に構成されており、例えば、ＬＥＤ８４の発光量をＣＰＵ１５により演算された発光量に調整する。
【００３８】
次に、本実施形態に係る複写機１における原稿サイズの検知制御について、図７及び図８を参照しながら説明する。図７は、本実施形態に係る画像信号処理部１０のＣＰＵ１５による原稿サイズの検知動作を示すフローチャートである。図８は、本実施形態に係る画像信号処理部１０のＣＰＵ１５によるＬＥＤ光量算出処理を示すフローチャートである。
【００３９】
ユーザにより原稿台カバー９１が開けられたことを開閉センサ９１ａが検知すると、ＣＰＵ１５は、光学キャリッジ８８を縦指標８２ａ付近に位置する所定の原稿サイズ検知位置に移動させる。そして、原稿台ガラス８２上に原稿Ｄが載置された後、ユーザにより原稿台カバー９１が閉じられ、原稿台カバー９１の開放角度が所定の角度としての２５度以下になったことを開閉センサ９１ａが検知すると、ＣＰＵ１５は、所定の発光量（１５ｍＡ）でＬＥＤ８４を発光させ、イメージセンサユニット８３（ＣＣＤ８７）に主走査方向に等間隔に設定された判定ポイントの点灯輝度（反射光の輝度分布）を読み取らせる（ステップＳ１０１〜Ｓ１０３）。
【００４０】
ここで、判定ポイントは、原稿台ガラス８２に載置された原稿Ｄの主走査幅を検知するために設けられたものであり、主走査方向に等間隔に複数設置されている。判定ポイントの画像データは、加算平均回路１４により平均化され、判定ポイントの平均画像データ（輝度分布情報）を読み込むことで、原稿端部が判別される。判定ポイントは、原稿台カバー９１が開いている場合に、ＬＥＤ８４を発光させ画像データ（輝度分布）を読み込むと、原稿Ｄがある領域は、原稿Ｄの反射光により輝度が高く（明るく）なり、原稿Ｄのない領域は、反射光がないため輝度が低く（暗く）なる。
【００４１】
判定ポイントの点灯輝度（反射光の輝度分布）を読み取ると、点灯輝度から原稿Ｄの端部位置を検出する（ステップＳ１０４）。原稿Ｄの端部位置は、隣り合う判定ポイントの輝度差が所定値以上となったら、原稿領域と非原稿領域との境界とみなす。そして、原稿Ｄの端部位置が検出された場合、ＬＥＤ８４を消灯して、副走査サイズセンサ８２ｃ，８２ｄのオン、オフを検知し、主走査幅の端部位置と副走査サイズセンサ８２ｃ，８２ｄのマトリックスにより、原稿サイズを決定する（ステップＳ１０５、Ｓ１０６）。
【００４２】
一方、ステップＳ１０４で端部を検出できなかった場合には、ＬＥＤ光量算出処理を行う（ステップＳ１０７）。ＬＥＤ光量算出処理としては、図８に示すように、まず、ユーザにより閉じられた原稿台カバー９１の開放角度に変化があるか否かを判断する（ステップＳ２０１）。開放角度に変化がなければ、変化があるまでこの判断を繰り返す。つまり、原稿サイズの検知制御において、原稿台カバー９１の開放角度に変化がない場合（一定の場合）には、ＬＥＤの発光量がそのままの発光量で維持される。これにより、一連の検知動作によりＬＥＤの発光量を増加させていた場合には、発光量の増加が停止される。
【００４３】
また、原稿台カバー９１の開放角度に変化があった場合、開放角度が大きくなったか否か（原稿台カバー９１が開かれたか否か）を判断する（ステップＳ２０２）。そして、原稿台カバー９１の開放角度が大きくなっていた場合、つまり、ユーザにより原稿台カバー９１が開かれていた場合には、原稿台カバー９１の開放角度に基づいたＬＥＤ８４の発光量を演算し、発光量を減少させる設定を行う（ステップＳ２０６）。
【００４４】
一方、原稿台カバー９１の開放角度が大きくなっていない場合、つまり、ユーザにより原稿台カバー９１が閉じられ、開放角度が小さくなっていた場合には、まず、原稿台カバー９１の開放角度が１５度以下であるか否かを判断する（ステップＳ２０３）。そして、１５度以上であれば、原稿台カバー９１の開放角度に基づいたＬＥＤ８４の発光量を演算子、発光量を増加させる設定を行う（ステップＳ２０５）。また、原稿台カバー９１の開放角度が１５度以下の場合には、原稿台カバー９１の開放角度に基づいたＬＥＤ８４の発光量の増加量を演算し、演算した増加量で発光量を増加させる設定を行う（ステップＳ２０４、Ｓ２０５）。
【００４５】
ＬＥＤ光量算出処理が終了すると、次に、原稿台カバー９１の開放角度が５度以下であるか否かを判断する（ステップＳ１０８）。ここで、原稿台カバー９１の開放角度が５度以下であった場合には、ＬＥＤ８４を消灯し、原稿サイズを不定とする判断を行う（ステップＳ１０５、Ｓ１０６）。一方、原稿台カバー９１の開放角度が５度以下でない場合には、設定した発光量でＬＥＤ８４を点灯させ（ステップＳ１０９）、ステップＳ１０３に戻って、再度、ＣＣＤ８７で原稿Ｄを読み取る。ＣＰＵ１５は、原稿Ｄの端部が検知されるまで、この動作を繰り返し行い、原稿Ｄの端部が検知されたら、ＬＥＤを消灯して、副走査サイズセンサ８２ｃ，８２ｄのオン、オフを検知し、主走査幅の端部位置と副走査サイズセンサ８２ｃ，８２ｄのマトリックスにより、原稿サイズを決定する（ステップＳ１０５、Ｓ１０６）。
【００４６】
以上説明したように、本実施形態に係る複写機１は、ＬＥＤ８４の発光量を増加させながら原稿Ｄの端部検知を繰り返し、原稿Ｄの端部が検出されたらＬＥＤ８４の発光を消灯する。そのため、例えば、反射率が低い第２原図等の薄紙や第２原図よりも少ない発光量で同等の反射光を得ることができる普通紙等の端部検知を行う場合においても、原稿の種類に応じて反射光の最大発光量を変更させることができる。これにより、例えば、過多な発光になりユーザ等が眩しさ等の不快を感じたり、発光量が低すぎて原稿サイズを検知できなくなることを防止することができる。
【００４７】
また、本実施形態に係る複写機１は、原稿台カバー９１の開放角度が所定の角度になったことを開閉センサ９１ａが検知すると、原稿の端部を検知するまでＬＥＤ８４の発光量を徐々に増加させる。そのため、ユーザ等が感じ得る眩しさ等の不快感を軽減させることができる。
【００４８】
また、本実施形態に係る複写機１は、原稿の原稿サイズの検知動作が始まった後、ユーザ等が原稿台カバー９１の開閉を停止した場合には、ＬＥＤ８４の発光量の増加を停止させる。また、本実施形態に係る複写機１は、原稿の原稿サイズの検知動作が始まった後、ユーザ等により原稿台ガラス８２の開動作が行われた場合には、ＬＥＤ８４の発光量を減少させる。そのため、ＬＥＤ８４の不要な発光を抑制可能となると共に、ユーザ等が感じ得る眩しさ等の不快感を軽減させることができる。
【００４９】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００５０】
例えば、本実施形態においては、原稿台カバー９１の開放角度が２５度以下になったことを開閉センサ９１ａが検知すると、１５ｍＡでＬＥＤ８４を発光させたが本発明においてはこれに限定されない。例えば、ユーザが眩しさによる不快を感じない程度の発光量に設定してもよい。
【００５１】
また、本実施形態においては、原稿の主走査方向の端部が検知されると、ＬＥＤ８４を消灯させたが、原稿Ｄの主走査方向の端部に加えて、例えば、別のセンサによる副走査方向のオン、オフの検知により原稿サイズが検知されてからＬＥＤ８４を消灯させる構成であってもよい。
【符号の説明】
【００５２】
１    複写機（画像形成装置）
３    画像形成部
７    画像読取部（画像読取装置）
９    原稿給送部
１５    ＣＰＵ（制御部）
６６    ＬＥＤ駆動回路（発光量調整手段）
８２    原稿台ガラス
８３    イメージセンサユニット
８４    ＬＥＤ（光源）
８７    ＣＣＤ（反射光読取手段）
９１    原稿台カバー
９１ａ    開閉センサ（開放角度検知手段）
Ｄ    原稿
【図１】
2013115783.tif 000003
【図２】
2013115783.tif 000004
【図３】
2013115783.tif 000005
【図４】
2013115783.tif 000006
【図５】
2013115783.tif 000007
【図６】
2013115783.tif 000008
【図７】
2013115783.tif 000009
【図８】
2013115783.tif 000010